(57)【要約】【課題】処理部の一時保留部から繰り出されたが金庫部の収納部に搬送すべきではない貨幣を処理部内に保管する。【解決手段】処理部20は、一時保留部24と、補助収納部25と、処理部20内において貨幣を搬送する処理側搬送部26とを有する。金庫部30は、収納部32と、金庫部30内において貨幣を搬送する金庫側搬送部33とを有する。制御部40は、一時保留部24から繰り出された貨幣が収納部32または補助収納部25に搬送されるように貨幣処理装置10の動作を制御する。【選択図】図２
2018116618.tif 000002
【特許請求の範囲】
【請求項１】
貨幣を処理する貨幣処理装置であって、
処理部と、
金庫部と、
前記貨幣処理装置の動作を制御する制御部とを備え、
前記処理部は、
前記貨幣を一時的に保留する一時保留部と、
前記貨幣を収納する補助収納部と、
前記処理部内において前記貨幣を搬送する処理側搬送部とを有し、
前記金庫部は、
前記貨幣を収納する収納部と、
前記金庫部内において前記貨幣を搬送する金庫側搬送部とを有し、
前記制御部は、前記一時保留部から繰り出された貨幣が前記収納部または前記補助収納部に搬送されるように前記貨幣処理装置の動作を制御する
ことを特徴とする貨幣処理装置。
【請求項２】
請求項１において、
前記制御部は、前記一時保留部から前記収納部へ向けて前記貨幣が搬送される入金確定処理において該貨幣に搬送異常が発生した場合に、該貨幣が前記補助収納部に搬送されるように前記貨幣処理装置の動作を制御する
ことを特徴とする貨幣処理装置。
【請求項３】
請求項１または２において、
前記処理部は、該処理部に対して着脱可能に構成された収納ユニットを有し、
前記収納ユニットは、前記一時保留部と前記補助収納部とを内蔵している
ことを特徴とする貨幣処理装置。
【請求項４】
請求項３において、
前記収納ユニットは、前記貨幣を繰入および繰出するための貨幣出入口を有し、
前記一時保留部は、前記貨幣出入口を通じて前記貨幣の繰入および繰出を行い、
前記補助収納部は、前記貨幣出入口を通じて前記貨幣の繰入を行い、
前記制御部は、前記一時保留部から繰り出されて前記貨幣出入口から前記収納部へ向けて搬送される貨幣に搬送異常が発生した場合に、該貨幣の搬送方向が前記収納部から前記貨幣出入口へ向かう方向となり該貨幣が前記貨幣出入口を介して前記補助収納部に搬送されるように前記貨幣処理装置の動作を制御する
ことを特徴とする貨幣処理装置。
【請求項５】
請求項３または４において、
前記処理部は、
前記貨幣が投入される投入部と、
前記貨幣を払い出すリジェクト部と、
前記貨幣を識別する識別部とを有し、
前記制御部は、
前記収納ユニットが前記処理部に取り付けられている場合には、前記投入部に投入された貨幣が前記識別部において識別されて該識別部による識別の結果に応じて前記一時保留部または前記リジェクト部に搬送されるように前記貨幣処理装置の動作を制御し、
前記収納ユニットが前記処理部から取り外されている場合には、前記投入部に投入された貨幣が前記識別部において識別されて該識別部による識別の結果に応じて前記収納部または前記リジェクト部に搬送されるように前記貨幣処理装置の動作を制御する
ことを特徴とする貨幣処理装置。
【請求項６】
請求項１〜５のいずれか１項において、
前記補助収納部は、施錠可能に構成されている
ことを特徴とする貨幣処理装置。
【請求項７】
貨幣を処理する貨幣処理装置であって、
前記貨幣を収納する収納部と、
前記貨幣を一時的に保留する一時保留部と、
前記貨幣を収納する補助収納部と、
前記貨幣を搬送する搬送部と、
前記一時保留部から繰り出された貨幣が前記収納部または前記補助収納部に搬送されるように前記貨幣処理装置の動作を制御する制御部と、
前記貨幣処理装置に対して着脱可能に構成されて前記一時保留部と前記補助収納部とを内蔵する収納ユニットとを備えている
ことを特徴とする貨幣処理装置。
【請求項８】
請求項７において、
前記制御部は、前記一時保留部から前記収納部へ向けて前記貨幣が搬送される入金確定処理において該貨幣に搬送異常が発生した場合に、該貨幣が前記補助収納部に搬送されるように前記貨幣処理装置の動作を制御する
ことを特徴とする貨幣処理装置。
【発明の詳細な説明】
【技術分野】
【０００１】
ここに開示する技術は、貨幣処理装置に関する。
【背景技術】
【０００２】
従来、貨幣を処理する貨幣処理装置が知られている。例えば、特許文献１には、紙幣を処理する紙幣処理機が開示されている。この紙幣処理機は、上部ユニットと下部ユニットとを有している。上部ユニットは、投入部と収納繰出部と識別部と搬送部とを有し、下部ユニットは、紙幣収納袋と紙幣収納カセットとを有している。そして、この紙幣処理機では、投入部に投入された紙幣が識別部において識別され、識別部において正常と識別された紙幣が収納繰出部に一時的に保留される。その後、入金確定の指令が紙幣処理機に与えられると、収納繰出部に一時的に保留された紙幣が搬送部に繰り出され、この繰り出された紙幣が所定の分類条件に基づいて紙幣収納袋または紙幣収納カセットに搬送される。
【先行技術文献】
【特許文献】
【０００３】
【特許文献１】特開２０１６−１４６１４１号公報
【発明の概要】
【発明が解決しようとする課題】
【０００４】
ところで、特許文献１のような貨幣処理装置では、上部ユニットの収納繰出部（処理部の一時保留部）から繰り出された貨幣を下部ユニットの紙幣収納部（金庫部の収納部）に搬送せずに上部ユニット内に保管することが好ましい場合がある。例えば、処理部の一時保留部から金庫部の収納部へ向けて貨幣を搬送する処理において貨幣に搬送異常が発生した場合、その貨幣を金庫部に搬送することは好ましくない。なお、一時保留部に一時的に保留されている貨幣は、貨幣処理装置内において取り扱われるべき貨幣であるので、一時保留部から繰り出された貨幣を貨幣処理装置の外部に払い出すことは好ましくない。例えば、特許文献１のような貨幣処理装置では、識別部において正常と識別されて入金確定の指令を受けた貨幣が一時保留部に一時的に保留されているので、一時保留部から繰り出された貨幣を貨幣処理装置の外部に払い出すことは好ましくない。そのため、処理部の一時保留部から金庫部の収納部へ向けて貨幣が搬送される処理において貨幣に搬送異常が発生した場合、その搬送異常となった貨幣は、金庫部に搬送されたり貨幣処理装置の外部に払い出されたりせずに、処理部内に保管されることが好ましい。しかしながら、従来の貨幣処理装置では、そのような対策は講じられていない。
【０００５】
そこで、ここに開示する技術は、処理部の一時保留部から繰り出されたが金庫部の収納部に搬送すべきではない貨幣を処理部内に保管することが可能な貨幣処理装置を提供することを目的とする。
【課題を解決するための手段】
【０００６】
ここに開示する技術は、貨幣を処理する貨幣処理装置に関し、この貨幣処理装置は、処理部と、金庫部と、前記貨幣処理装置の動作を制御する制御部とを備え、前記処理部は、前記貨幣を一時的に保留する一時保留部と、前記貨幣を収納する補助収納部と、前記処理部内において前記貨幣を搬送する処理側搬送部とを有し、前記金庫部は、前記貨幣を収納する収納部と、前記金庫部内において前記貨幣を搬送する金庫側搬送部とを有し、前記制御部は、前記一時保留部から繰り出された貨幣が前記収納部または前記補助収納部に搬送されるように前記貨幣処理装置の動作を制御する。
【０００７】
前記の構成では、処理部に補助収納部を設けることにより、処理部の一時保留部から繰り出された貨幣を金庫部の収容部だけでなく処理部内の補助収納部にも搬送することができる。これにより、処理部の一時保留部から繰り出されたが金庫部の収納部に搬送すべきではない貨幣（すなわち貨幣処理装置内において取り扱われるべき貨幣）を処理部内に保管することができる。
【０００８】
前記制御部は、前記一時保留部から前記収納部へ向けて前記貨幣が搬送される入金確定処理において該貨幣に搬送異常が発生した場合に、該貨幣が前記補助収納部に搬送されるように前記貨幣処理装置の動作を制御するように構成されていてもよい。
【０００９】
前記の構成では、入金確定処理において搬送異常となった貨幣（処理部の一時保留部から繰り出されたが金庫部の収納部に搬送すべきではない貨幣）を処理部内に保管することができる。
【００１０】
前記処理部は、該処理部に対して着脱可能に構成された収納ユニットを有していてもよい。そして、前記収納ユニットは、前記一時保留部と前記補助収納部とを内蔵していてもよい。
【００１１】
前記の構成では、収納ユニットを処理部に対して着脱することによって一時保留部とともに補助収納部を処理部に対して着脱することができる。
【００１２】
前記収納ユニットは、前記貨幣を繰入および繰出するための貨幣出入口を有し、前記一時保留部は、前記貨幣出入口を通じて前記貨幣の繰入および繰出を行うように構成されていてもよい。前記補助収納部は、前記貨幣出入口を通じて前記貨幣の繰入を行うように構成されていてもよい。そして、前記制御部は、前記一時保留部から繰り出されて前記貨幣出入口から前記収納部へ向けて搬送される貨幣に搬送異常が発生した場合に、該貨幣の搬送方向が前記収納部から前記貨幣出入口へ向かう方向となり該貨幣が前記貨幣出入口を介して前記補助収納部に搬送されるように前記貨幣処理装置の動作を制御するように構成されていてもよい。
【００１３】
前記の構成では、搬送異常となった貨幣の搬送方向を反転させて搬送異常を緩和（または解消）することができるので、搬送異常となった貨幣を補助収納部に円滑に搬送することができる。
【００１４】
前記処理部は、前記貨幣が投入される投入部と、前記貨幣を払い出すリジェクト部と、前記貨幣を識別する識別部とを有していてもよい。そして、前記制御部は、前記収納ユニットが前記処理部に取り付けられている場合には、前記投入部に投入された貨幣が前記識別部において識別されて該識別部による識別の結果に応じて前記一時保留部または前記リジェクト部に搬送されるように前記貨幣処理装置の動作を制御し、前記収納ユニットが前記処理部から取り外されている場合には、前記投入部に投入された貨幣が前記識別部において識別されて該識別部による識別の結果に応じて前記収納部または前記リジェクト部に搬送されるように前記貨幣処理装置の動作を制御するように構成されていてもよい。
【００１５】
前記の構成では、収納ユニットの有無に応じて投入部に投入された貨幣の取り扱いを変更することができるので、投入部に投入された貨幣を貨幣処理装置内に適切に取り込むことができる。
【００１６】
前記補助収納部は、施錠可能に構成されていてもよい。
【００１７】
前記の構成では、補助収納部のセキュリティレベルを向上させることができる。
【００１８】
また、ここに開示する技術は、貨幣を処理する貨幣処理装置に関し、この貨幣処理装置は、前記貨幣を収納する収納部と、前記貨幣を一時的に保留する一時保留部と、前記貨幣を収納する補助収納部と、前記貨幣を搬送する搬送部と、前記一時保留部から繰り出された貨幣が前記収納部または前記補助収納部に搬送されるように前記貨幣処理装置の動作を制御する制御部と、前記貨幣処理装置に対して着脱可能に構成されて前記一時保留部と前記補助収納部とを内蔵する収納ユニットとを備えている。
【００１９】
前記の構成では、収納ユニットを貨幣処理装置に対して着脱することによって一時保留部とともに補助収納部を貨幣処理装置に対して着脱することができる。また、補助収納部を設けることにより、一時保留部から繰り出された貨幣を収容部だけでなく補助収納部にも搬送することができる。これにより、一時保留部から繰り出されたが収納部に搬送すべきではない貨幣（すなわち貨幣処理装置内において取り扱われるべき貨幣）を補助収納部内に保管することができる。
【００２０】
前記制御部は、前記一時保留部から前記収納部へ向けて前記貨幣が搬送される入金確定処理において該貨幣に搬送異常が発生した場合に、該貨幣が前記補助収納部に搬送されるように前記貨幣処理装置の動作を制御するように構成されていてもよい。
【００２１】
前記の構成では、入金確定処理において搬送異常となった貨幣（一時保留部から繰り出されたが収納部に搬送すべきではない貨幣）を補助収納部内に保管することができる。
【発明の効果】
【００２２】
ここに開示する技術によれば、処理部の一時保留部から繰り出されたが金庫部の収納部に搬送すべきではない貨幣を処理部内に保管することができる。
【図面の簡単な説明】
【００２３】
【図１】実施形態による貨幣処理装置の外観を例示する斜視図である。
【図２】実施形態による貨幣処理装置の内部構成を例示する概略図である。
【図３】実施形態による貨幣処理装置の構成を例示するブロック図である。
【図４】収納ユニットの一部を例示する斜視図である。
【図５】入金受付処理について説明するための概略図である。
【図６】入金確定処理について説明するための概略図である。
【図７】直接入金処理について説明するための概略図である。
【図８】搬送部の一部の構成を例示する斜視図である。
【図９】搬送路の一部の構成を例示する断面図である。
【図１０】搬送路の一部の構成を例示する断面図である。
【図１１】リジェクト部の構成を例示する断面図である。
【図１２】リジェクト部の一部の構成を例示する斜視図である。
【図１３】リジェクト部の一部の構成を例示する断面図である。
【発明を実施するための形態】
【００２４】
以下、実施の形態を図面を参照して詳しく説明する。なお、図中同一または相当部分には同一の符号を付しその説明は繰り返さない。
【００２５】
（貨幣処理装置）
図１，図２，図３は、実施形態による貨幣処理装置１０の構成を例示している。この例では、貨幣処理装置１０は、紙幣（貨幣）が入金される紙幣入金機を構成している。具体的には、貨幣処理装置１０は、操作表示部１１と、記憶部１２と、通信部１３と、処理部２０と、金庫部３０と、制御部４０とを備えている。
【００２６】
操作表示部１１は、各種の情報を表示するように構成されている。また、操作表示部１１は、操作者による操作を受け付けて情報を入力するように構成されている。すなわち、貨幣処理装置１０は、操作者による操作に応じて動作するように構成されている。この例では、操作表示部１１は、タッチパネルによって構成されている。記憶部１２は、各種の情報を記憶するように構成されている。例えば、記憶部１２は、ハードディスクドライブやフラッシュメモリなどの汎用のストレージデバイスによって構成されている。通信部１３は、制御部４０が通信線（例えばＬＡＮやシリアルバスなど）を通じて上位機（図示を省略）やその他の機器との間で通信を行うために設けられている。
【００２７】
〔処理部〕
処理部２０は、処理側筐体２１と、投入部２２と、リジェクト部２３と、一時保留部２４と、補助収納部２５と、処理側搬送部２６と、識別部２９とを有している。
【００２８】
〈処理側筐体〉
処理側筐体２１は、直方体型の箱状に形成され、投入部２２とリジェクト部２３と一時保留部２４と補助収納部２５と処理側搬送部２６と識別部２９とを収容している。
【００２９】
〈投入部〉
投入部２２は、紙幣が投入されるように構成されている。具体的には、投入部２２は、処理側筐体２１の前面上部において前向きに開口する投入口を有し、複数枚の紙幣を一度に受け入れ可能に構成されている。この例では、投入部２２の投入口には、左右に開閉可能なシャッタが設けられている。また、投入部２２には、繰出機構２２ａが設けられている。繰出機構２２ａは、投入部２２に投入された複数枚の紙幣を一枚ずつ処理側搬送部２６に繰り出すように構成されている。
【００３０】
〈リジェクト部〉
リジェクト部２３は、紙幣を払い出すように構成されている。具体的には、リジェクト部２３は、処理側筐体２１の前面における投入部２２の下方において前向きに開口する払出口を有し、複数枚の紙幣を一度に保持可能に構成されている。この例では、リジェクト部２３の払出口には、左右に開閉可能なシャッタが設けられている。また、リジェクト部２３には、羽根車２３ａが設けられている。羽根車２３ａは、処理側搬送部２６から紙幣を一枚ずつ繰り入れてリジェクト部２３へ一枚ずつ繰り出すように構成されている。
【００３１】
〈一時保留部〉
一時保留部２４は、紙幣を一時的に保留（収納）するように構成されている。この例では、一時保留部２４は、巻き取り式の収納ドラムによって構成されている。具体的には、一時保留部２４は、紙幣を一枚ずつ巻き取って収納し、その収納した順番とは逆順で紙幣を一枚ずつ繰り出す（いわゆる先入れ後出しとなる）ように構成されている。なお、一時保留部２４は、紙幣を一枚ずつ集積して収納するスタック式の収納部によって構成されていてもよい。
【００３２】
〈補助収納部〉
補助収納部２５は、紙幣を収納するように構成されている。この例では、補助収納部２５は、スタック式の収納カセットによって構成されている。具体的には、補助収納部２５は、上下に扁平な直方体状に形成され、その側壁（前壁）に紙幣の通過が可能となるように補助収納部２５の内外を連通する連通口が形成されている。そして、補助収納部２５の内部には、補助収納部２５の連通口を通じて紙幣を繰り入れるように構成された繰入機構（図示を省略）が設けられている。
【００３３】
〈処理側搬送部〉
処理側搬送部２６は、処理部２０内において紙幣を搬送するように構成されている。具体的には、処理側搬送部２６は、紙幣と紙幣の間に所定の間隔をおいた状態で紙幣を一枚ずつ短手搬送するように構成されている。また、この例では、処理側搬送部２６は、主搬送部２７と、補助搬送部２８とを有している。なお、短手搬送とは、紙幣の短手方向が紙幣の搬送方向に沿う方向（理想的には一致する方向）となり且つ紙幣の長手方向が紙幣の搬送方向と交差する方向（理想的には直交する方向）となるように紙幣を搬送することである。
【００３４】
《主搬送部》
主搬送部２７は、投入部２２とリジェクト部２３と補助搬送部２８と後述する金庫側搬送部３３とに接続され、これらの間において紙幣を搬送するように構成されている。具体的には、主搬送部２７は、搬送路を有し、その搬送路には、その回転により紙幣を搬送するように構成された搬送ローラや、搬送ローラを駆動するように構成された駆動機構や、搬送路における紙幣の搬送方向を切り換えるように構成された分岐機構などが設けられている。また、主搬送部２７の搬送路には、複数の通過センサ４１が設けられている。通過センサ４１は、設置場所において紙幣の通過を検知するように構成されている。例えば、通過センサ４１は、光を送信する送信部と光を受信する受信部とを有し、その送信部から受信部へ向かう光が搬送路を通過する紙幣によって遮断されるように配置され、光が遮断されることで設置場所において紙幣が通過したことを検知するように構成されている。
【００３５】
なお、この例では、主搬送部２７の搬送路は、その一端が投入部２２に接続される第１主搬送路部と、その一端が補助搬送部２８に接続される第２主搬送路部と、その一端がリジェクト部２３に接続される第３主搬送路部と、第１および第２主搬送路部の他端と第３主搬送路部の中間部とを接続する第４主搬送路部と、第３主搬送路部からそれぞれ分岐する複数（この例では５つ）の分岐部とによって構成されている。
【００３６】
《補助搬送部》
補助搬送部２８は、一時保留部２４と補助収納部２５と主搬送部２７とに接続され、これらの間において紙幣を搬送するように構成されている。具体的には、主搬送部２７と同様に、補助搬送部２８は、搬送路を有し、その搬送路には、その回転により紙幣を搬送するように構成された搬送ローラや、搬送ローラを駆動するように構成された駆動機構や、搬送路における紙幣の搬送方向を切り換えるように構成された分岐機構などが設けられている。また、補助搬送部２８の搬送路には、複数の通過センサ４１が設けられている。
【００３７】
なお、この例では、補助搬送部２８は、その一端が一時保留部２４に接続される第１補助搬送路部と、その一端が補助収納部に接続される第２補助搬送路部と、第１および第２補助搬送路部の他端と主搬送部２７（具体的には主搬送部２７の第２主搬送路部）とを接続する第３補助搬送路部とによって構成されている。
【００３８】
〈識別部〉
識別部２９は、処理側搬送部２６に設けられている。この例では、識別部２９は、主搬送部２７の第１主搬送路部に設けられている。そして、識別部２９は、紙幣に対して識別処理を行うように構成されている。識別処理では、金種識別や、真偽識別や、正損識別などが行われる。金種識別では、紙幣の通貨単位や金額などが識別され、真偽識別では、紙幣が真券に該当するのか偽券に該当するのかが識別され、正損識別では、紙幣が正券に該当するのか損券に該当するのかが識別される。例えば、識別部２９は、ラインセンサ，磁気センサ，画像センサなどの各種センサや、ＣＰＵなどの演算処理部や、演算処理部を動作させるためのプログラムや情報を記憶するメモリなどの記憶部などによって構成されている。
【００３９】
〔金庫部〕
金庫部３０は、金庫側筐体３１と、複数（この例では５つ）の収納部３２と、金庫側搬送部３３とを有している。なお、金庫部３０は、その内部を所定以上のセキュリティで保護するように構成されている。具体的には、金庫部３０は、施錠可能に構成されている。すなわち、金庫部３０は、特定の権限を有する操作者に対してのみ内部へのアクセスを許可するように構成されている。
【００４０】
〈金庫側筐体〉
金庫側筐体３１は、直方体型の箱状に形成され、複数の収納部３２と金庫側搬送部３３とを収容している。また、金庫側筐体３１は、その一面（この例では前面）が施錠可能に構成されている。すなわち、金庫側筐体３１は、特定の鍵によって一面（この例では前面）が解錠されるように構成されている。
【００４１】
〈収納部〉
収納部３２は、紙幣を収納するように構成されている。この例では、収納部３２は、収納すべき紙幣の金種が割り当てられており、その収納部３２に割り当てられた金種の紙幣を収納するようになっている。また、この例では、収納部３２は、スタック式の収納カセットによって構成されている。具体的には、収納部３２は、前後に扁平な直方体状に形成され、その上壁に紙幣の通過が可能となるように収納部３２の内外を連通する連通口が形成されている。そして、収納部３２の内部には、収納部３２の連通口を通じて紙幣を繰り入れるように構成された繰入機構（図示を省略）が設けられている。
【００４２】
また、この例では、収納部３２は、金庫部３０に対して着脱可能に構成されている。具体的には、金庫部３０は、金庫側筐体３１の前面を開けた状態において金庫部３０の前後方向にスライド可能なスライド部（図示を省略）を有し、複数の収納部３２は、スライド部に対して着脱可能に構成されている。
【００４３】
〈金庫側搬送部〉
金庫側搬送部３３は、金庫部３０内において紙幣を搬送するように構成されている。具体的には、金庫側搬送部３３は、紙幣と紙幣の間に所定の間隔をおいた状態で紙幣を一枚ずつ短手搬送するように構成されている。
【００４４】
この例では、金庫側搬送部３３は、処理側搬送部２６の主搬送部２７と複数の収納部３２とに接続され、これらの間において紙幣を搬送するように構成されている。具体的には、金庫側搬送部３３は、処理側搬送部２６の一部を構成する主搬送部２７の複数の分岐部と複数の収納部３２とをそれぞれ接続する複数（この例では５つ）の搬送路を有し、その搬送路には、その回転により紙幣を搬送するように構成された搬送ローラや、搬送ローラを駆動するように構成された駆動機構などが設けられている。また、金庫側搬送部３３の搬送路には、複数の通過センサ（図示を省略）が設けられている。
【００４５】
〔収納ユニット〕
また、この例では、処理部２０は、収納ユニット５０を有している。収納ユニット５０は、貨幣処理装置１０の処理部２０に対して着脱可能に構成されている。収納ユニット５０は、一時保留部２４と補助収納部２５と補助搬送部２８とを内蔵している。そして、主搬送部２７および補助搬送部２８は、収納ユニット５０が処理部２０に取り付けられた場合に互いに接続され、収納ユニット５０が処理部２０から取り外された場合に互いに引き離されるように構成されている。
【００４６】
具体的には、収納ユニット５０は、紙幣を繰入および繰出するための紙幣出入口５０ａを有している。この例では、紙幣出入口５０ａは、収納ユニット５０の側壁（この例では前壁）に設けられ、紙幣の通過が可能となるように収納ユニット５０の内外を連通している。補助搬送部２８の第３補助搬送路部は、一時保留部２４に接続された第１補助搬送路部および補助収納部２５に接続された第２補助搬送路部と収納ユニット５０の紙幣出入口５０ａとを接続している。すなわち、一時保留部２４は、紙幣出入口５０ａを通じて紙幣の繰入および繰出を行うように構成され、補助収納部２５は、紙幣出入口５０ａを通じて紙幣の繰入を行うように構成されている。そして、主搬送部２７は、収納ユニット５０が処理部２０に取り付けられた場合に収納ユニット５０の紙幣出入口５０ａに接続され、収納ユニット５０が処理部２０から取り外された場合に収納ユニット５０の紙幣出入口５０ａから引き離されるように構成されている。具体的には、主搬送部２７は、第２主搬送路部の一端が収納ユニット５０の紙幣出入口５０ａに対して着脱可能に構成されている。
【００４７】
また、この例では、補助収納部２５は、施錠可能に構成されている。すなわち、補助収納部２５は、特定の権限を有する操作者に対してのみ内部へのアクセスを許可するように構成されている。具体的には、図４に示すように、収納ユニット５０の側壁（例えば右壁または左壁）には、収納ユニット５０に内蔵された補助収納部２５を取り出すための取出口が設けられ、その取出口には、施錠可能な開閉扉５１（特定の鍵５２によって解錠されるように構成された開閉扉５１）が設けられている。そして、この例では、開閉扉５１が施錠されている場合に、補助収納部２５が施錠されていることになり、開閉扉５１が解錠されている場合に、補助収納部２５が解錠されていることになる。
【００４８】
なお、図４は、鍵５２を収納ユニット５０の鍵穴に差し込んで開閉扉５１を開く場面を示している。この例では、鍵穴に差し込まれた鍵５２を回して解錠し、開閉扉５１の上部に設けられたヒンジ５３を軸として開閉扉５１を図４に示した矢印の方向に回動させて開閉扉５１を開くことにより、収納ユニット５０の中から補助収納部２５を取り出すことができる。
【００４９】
〔制御部〕
図３に示すように、制御部４０は、貨幣処理装置１０の各部（この例では、操作表示部１１，記憶部１２，通信部１３，投入部２２，リジェクト部２３，一時保留部２４，補助収納部２５，主搬送部２７，補助搬送部２８，識別部２９，収納部３２，金庫側搬送部３３）と信号を伝送可能に接続されている。なお、貨幣処理装置１０の各部には、紙幣の通過を検知するように構成された通過センサなどの各種センサ（一部のみ図示）が設けられており、これらの各種センサの検出信号は、制御部４０に入力される。そして、制御部４０は、貨幣処理装置１０の各部からの信号や情報に基づいて貨幣処理装置１０の各部を制御することで貨幣処理装置１０の動作を制御するように構成されている。
【００５０】
また、この例では、制御部４０は、収納ユニット５０が取り付けられているか否かを判定するように構成されている。具体的には、処理部２０には、収納ユニット５０の在否を検知する在否センサ４２が設けられており、制御部４０は、その在否センサ４２の検知結果に基づいて処理部２０に対する収納ユニット５０の取り付けの有無を判定するように構成されている。
【００５１】
また、この例では、制御部４０は、処理側搬送部２６における紙幣の搬送異常の発生を検出するように構成されている。なお、紙幣の搬送異常とは、搬送路において紙幣が詰まっている状態（紙幣ジャム）や、搬送路において紙幣が重なって搬送されている状態（重送）などのことである。紙幣ジャムの場合、紙幣ジャムとなっている紙幣は、それ以上下流側への搬送はできないが、逆方向へは搬送可能である。すなわち、紙幣ジャムは、紙幣の搬送方向を反転させることで緩和（または解消）することが可能である。また、重送の場合も、紙幣の搬送方向を反転させることで緩和（または解消）することが可能である。
【００５２】
この例では、制御部４０は、処理側搬送部２６に設けられた複数の通過センサ４１における検知結果に基づいて、処理側搬送部２６における紙幣の搬送異常の有無および搬送異常の発生箇所を検出するように構成されている。
【００５３】
そして、この例では、制御部４０は、収納ユニット５０が処理部２０に取り付けられている場合に入金受付処理と入金確定処理とが行われ、収納ユニット５０が処理部２０から取り外されている場合に直接入金処理が行われるように、貨幣処理装置１０の動作を制御する。
【００５４】
次に、図５，図６，図７を参照して入金受付処理，入金確定処理，直接入金処理について説明する。
【００５５】
〔入金受付処理〕
収納ユニット５０が処理部２０に取り付けられている場合、制御部４０は、操作者による入金操作（貨幣処理装置１０に紙幣を入金するための操作）が操作表示部１１に与えられると、入金受付処理が行われるように貨幣処理装置１０の動作を制御する。例えば、制御部４０は、入金処理の実行を選択することが可能なメニュー画面を操作表示部１１に表示させ、収納ユニット５０が処理部２０に取り付けられている場合にメニュー画面において入金処理の実行が操作者によって選択されると、入金受付処理が行われるように貨幣処理装置１０の動作を制御する。
【００５６】
入金受付処理では、制御部４０は、投入部２２に投入された紙幣が識別部２９において識別されて識別部２９による識別の結果に応じて一時保留部２４またはリジェクト部２３に搬送されるように貨幣処理装置１０の動作を制御する。
【００５７】
図５に示すように、投入部２２に投入された紙幣は、処理側搬送部２６（具体的には主搬送部２７）によって識別部２９に搬送され、識別部２９において識別処理が施される。これにより、識別部２９は、紙幣の識別結果を取得する。識別部２９において取得された紙幣の識別結果は、制御部４０に送信される。
【００５８】
制御部４０は、識別部２９から受信した紙幣の識別結果に基づいて、識別部２９に搬送されてきた紙幣が入金すべきではない紙幣（入金リジェクト紙幣）に該当するか否かを判定する。例えば、制御部４０は、識別部２９に搬送されてきた紙幣が金種異常券（金種を識別できない紙幣），偽券，損券のうち少なくとも１つに該当する場合に、その紙幣が入金リジェクト券に該当すると判定する。
【００５９】
識別部２９に搬送されてきた紙幣が入金リジェクト券に該当しないと判定すると、制御部４０は、図５の実線の矢印で示すように、識別部２９に搬送されてきた紙幣が収納ユニット５０の紙幣出入口５０ａを通過して一時保留部２４に搬送されるように処理側搬送部２６（具体的には主搬送部２７および補助搬送部２８）を制御する。一方、識別部２９に搬送されてきた紙幣が入金リジェクト券に該当すると判定すると、制御部４０は、図５の破線の矢印で示すように、識別部２９に搬送されてきた紙幣がリジェクト部２３に搬送されるように処理側搬送部２６（具体的には主搬送部２７）を制御する。なお、入金受付処理では、制御部４０は、一時保留部２４に一時的に保留された紙幣の識別結果を紙幣毎に記憶する。
【００６０】
そして、入金受付処理が完了する（すなわち投入部２２に投入された全ての紙幣が一時保留部２４またはリジェクト部２３に搬送される）と、制御部４０は、入金受付処理の結果を示す情報を出力する。具体的には、制御部４０は、一時保留部２４に一時的に保留された紙幣の金種別の合計枚数やリジェクト部２３に搬送された紙幣の枚数などを示した画面（受付結果画面）を操作表示部１１に表示させる。
【００６１】
〔入金確定処理〕
収納ユニット５０が処理部２０に取り付けられている場合、制御部４０は、入金受付処理の後に、操作者による承認操作（貨幣処理装置１０に対する紙幣の入金を承認するための操作）が操作表示部１１に与えられると、入金確定処理が行われるように貨幣処理装置１０の動作を制御する。例えば、制御部４０は、受付結果画面とともに貨幣処理装置１０に対する紙幣の入金を承認するための承認アイコンを操作表示部１１に表示させ、操作者によって承認アイコンが選択されると、入金確定処理が行われるように貨幣処理装置１０の動作を制御する。
【００６２】
入金確定処理では、制御部４０は、一時保留部２４から繰り出された紙幣が収納部３２または補助収納部２５に搬送されるように貨幣処理装置１０の動作を制御する。具体的には、制御部４０は、入金受付処理において得られた識別部２９による紙幣の識別結果に基づいて、一時保留部２４から収納部３２へ向けて紙幣が搬送されるように貨幣処理装置１０の動作を制御する。詳しく説明すると、制御部４０は、一時保留部２４から繰り出された紙幣がその紙幣に対応する収納部３２（その紙幣の金種と同一の金種が割り当てられた収納部３２）に搬送されるように貨幣処理装置１０の動作を制御する。また、制御部４０は、入金確定処理において紙幣に搬送異常が発生した場合に、その紙幣の搬送を停止し、その後、その紙幣が補助収納部２５に搬送されるように、貨幣処理装置１０の動作を制御する。
【００６３】
図６の実線の矢印で示すように、一時保留部２４から繰り出された紙幣は、収納ユニット５０の紙幣出入口５０ａを通過し、紙幣出入口５０ａからその紙幣の金種に対応する収納部３２へ向けて搬送される。また、制御部４０は、一時保留部２４から繰り出されて紙幣出入口５０ａから収納部３２へ向けて搬送される紙幣に搬送異常が発生した場合、その紙幣の搬送を停止し、その後、図６の破線の矢印で示すように、その紙幣の搬送方向が収納部３２から紙幣出入口５０ａへ向かう方向となりその紙幣が紙幣出入口５０ａを介して補助収納部２５に搬送されるように、貨幣処理装置１０の動作を制御する。また、制御部４０は、補助搬送部２８（具体的には紙幣出入口５０ａに接続される第３補助搬送路部）において一時保留部２４から収納ユニット５０の紙幣出入口５０ａへ向けて搬送される紙幣に搬送異常が発生した場合、その紙幣の搬送を停止し、その後、図６の破線の矢印で示すように、その紙幣の搬送方向が紙幣出入口５０ａから補助収納部２５へ向かう方向となりその紙幣が補助収納部２５に搬送されるように、貨幣処理装置１０の動作を制御する。このように、紙幣の搬送異常が発生した場合に、その紙幣の搬送を停止して紙幣の搬送方向を反転させることにより、搬送異常を緩和（または解消）することができる。そして、搬送異常となった紙幣が補助収納部２５に搬送されて収納されると、制御部４０は、入金確定処理が再開される（すなわち一時保留部２４から収納部３２へ向けて紙幣が搬送される）ように貨幣処理装置１０の動作を制御する。
【００６４】
〔直接入金処理〕
収納ユニット５０が処理部２０から取り外されている場合、制御部４０は、操作者による入金操作が操作表示部１１に与えられると、直接入金処理が行われるように貨幣処理装置１０の動作を制御する。例えば、制御部４０は、入金処理の実行を選択することが可能なメニュー画面を操作表示部１１に表示させ、収納ユニット５０が処理部２０から取り外されている場合にメニュー画面において入金処理の実行が操作者によって選択されると、直接入金処理が行われるように貨幣処理装置１０の動作を制御する。
【００６５】
直接入金処理では、制御部４０は、投入部２２に投入された紙幣が識別部２９において識別されて識別部２９による識別の結果に応じて収納部３２またはリジェクト部２３に搬送されるように、貨幣処理装置１０の動作を制御する。
【００６６】
図７に示すように、投入部２２に投入された紙幣は、処理側搬送部２６（具体的には主搬送部２７）によって識別部２９に搬送され、識別部２９において識別処理が施される。これにより、識別部２９は、紙幣の識別結果を取得する。識別部２９において取得された紙幣の識別結果は、制御部４０に送信される。そして、制御部４０は、識別部２９から受信した紙幣の識別結果に基づいて、識別部２９に搬送されてきた紙幣が入金リジェクト紙幣に該当するか否かを判定する。
【００６７】
識別部２９に搬送されてきた紙幣が入金リジェクト券に該当しないと判定すると、制御部４０は、図７の実線の矢印で示すように、識別部２９における紙幣の識別結果に基づいて、識別部２９に搬送されてきた紙幣がその紙幣の金種に対応する収納部３２（その紙幣の金種と同一の金種が割り当てられた収納部３２）に搬送されるように処理側搬送部２６（具体的には主搬送部２７）および金庫側搬送部３３を制御する。一方、識別部２９に搬送されてきた紙幣が入金リジェクト券に該当すると判定すると、制御部４０は、図７の破線の矢印で示すように、識別部２９に搬送されてきた紙幣がリジェクト部２３に搬送されるように処理側搬送部２６（具体的には主搬送部２７）を制御する。
【００６８】
そして、直接入金処理が完了する（すなわち投入部２２に投入された全ての紙幣が収納部３２またはリジェクト部２３に搬送される）と、制御部４０は、直接入金処理の結果を示す情報を出力する。具体的には、制御部４０は、収納部３２に収納された紙幣の金種別の合計枚数やリジェクト部２３に搬送された紙幣の枚数などを示した画面（入金結果画面）を操作表示部１１に表示させる。
【００６９】
〔貨幣処理装置における紙幣の取り扱い〕
貨幣処理装置１０では、入金確定処理（すなわち処理部２０の一時保留部２４から金庫部３０の収納部３２へ向けて紙幣を搬送する処理）において紙幣に搬送異常が発生した場合、その紙幣を金庫部３０に搬送することは好ましくない。なお、一時保留部２４に一時的に保留されている紙幣は、貨幣処理装置１０と操作者との間において取引が完了して貨幣処理装置１０内に取り込まれた紙幣（貨幣処理装置１０内において取り扱われるべき紙幣）であるので、一時保留部２４から繰り出された紙幣を貨幣処理装置１０の外部に払い出すことは好ましくない。そのため、入金確定処理において紙幣に搬送異常が発生した場合、その搬送異常となった貨幣は、金庫部３０に搬送されたり貨幣処理装置１０の外部に払い出されたりせずに、処理部２０内に保管されることが好ましい。
【００７０】
〔実施形態による効果〕
以上のように、処理部２０に補助収納部２５を設けることにより、処理部２０の一時保留部２４から繰り出された紙幣を金庫部３０の収納部３２だけでなく処理部２０内の補助収納部２５にも搬送することができる。これにより、処理部２０の一時保留部２４から繰り出されたが金庫部３０の収納部３２に搬送すべきではない紙幣（貨幣処理装置１０内において取り扱われるべき貨幣）を処理部２０内に保管することができる。
【００７１】
また、制御部４０は、入金確定処理において紙幣に搬送異常が発生した場合に、その搬送異常となった紙幣が補助収納部２５に搬送されるように貨幣処理装置１０を制御する。これにより、入金確定処理において搬送異常となった貨幣（処理部２０の一時保留部２４から繰り出されたが金庫部３０の収納部３２に搬送すべきではない紙幣）を処理部２０内に保管することができる。
【００７２】
また、一時保留部２４と補助収納部２５とを収納ユニット５０に内蔵することにより、収納ユニット５０を処理部２０に対して着脱することによって一時保留部２４とともに補助収納部２５を処理部２０に対して着脱することができる。このような構成により、一時保留部２４と補助収納部２５とを同時に取り外すことができるので、一時保留部２４を使用しないときには補助収納部２５も使用しないという取り扱いの場合に好都合である。
【００７３】
また、入金確定処理において、制御部４０は、一時保留部２４から繰り出されて収納ユニット５０の紙幣出入口５０ａから金庫部３０の収納部３２へ向けて搬送される紙幣に搬送異常が発生した場合に、その搬送異常となった紙幣の搬送方向が金庫部３０の収納部３２から収納ユニット５０の紙幣出入口５０ａへ向かう方向となり紙幣が収納ユニット５０の紙幣出入口５０ａを介して補助収納部２５に搬送されるように貨幣処理装置１０の動作を制御する。これにより、搬送異常となった紙幣の搬送方向を反転させて搬送異常を緩和（または解消）することができるので、搬送異常となった紙幣を補助収納部２５に円滑に搬送することができる。
【００７４】
また、入金確定処理において、制御部４０は、補助搬送部２８（具体的には紙幣出入口５０ａに接続される第３補助搬送路部）において一時保留部２４から収納ユニット５０の紙幣出入口５０ａへ向けて搬送される紙幣に搬送異常が発生した場合、その紙幣の搬送方向が紙幣出入口５０ａから補助収納部２５へ向かう方向となりその紙幣が補助収納部２５に搬送されるように貨幣処理装置１０の動作を制御する。これにより、搬送異常となった紙幣の搬送方向を反転させて搬送異常を緩和（または解消）することができるので、搬送異常となった紙幣を補助収納部２５に円滑に搬送することができる。
【００７５】
また、この実施形態による貨幣処理装置１０では、収納ユニット５０が処理部２０に取り付けられている場合に、一時保留部２４と補助収納部２５を利用する処理（入金受付処理と入金確定処理）が行われ、収納ユニット５０が処理部２０から取り外されている場合に、一時保留部２４と補助収納部２５を利用しない処理（直接入金処理）が行われる。これにより、収納ユニット５０の有無に応じて投入部２２に投入された紙幣の取り扱いを変更することができるので、投入部２２に投入された紙幣を貨幣処理装置１０内に適切に取り込むことができる。なお、収納ユニット５０が処理部２０に取り付けられている場合に直接入金処理が行われてもよい。
【００７６】
補助収納部２５を施錠可能に構成することにより、補助収納部２５のセキュリティレベルを向上させることができる。
【００７７】
〔偽券の取り扱い〕
なお、入金受付処理（または収納ユニット５０が処理部２０に取り付けられている状態で行われる直接入金処理）において偽券に該当する紙幣を補助収納部２５に収納してもよい。すなわち、制御部４０は、入金受付処理（または収納ユニット５０が処理部２０に取り付けられている状態で行われる直接入金処理）において投入部２２から識別部２９に搬送されてきた紙幣が偽券に該当する場合に、その紙幣が補助収納部２５に搬送されるように貨幣処理装置１０の動作を制御してもよい。なお、偽券に該当する貨幣を補助収納部２５に収納する場合、補助収納部２５は、偽券専用の収納部となっていることが好ましい。
【００７８】
また、入金受付処理（または直接入金処理）における偽券の取り扱いを次の３つの中から選択するようになっていてもよい。すなわち、制御部４０は、次の第１制御と第２制御と第３制御とを、操作者による選択操作（第１制御と第２制御と第３制御の中からいずれか１つを選択する操作）に応答して選択的に行うように構成されていてもよい。
【００７９】
第１制御では、制御部４０は、入金受付処理（または直接入金処理）において投入部２２から識別部２９に搬送されてきた紙幣が偽券に該当する場合に、その紙幣がリジェクト部２３に搬送されるように貨幣処理装置１０の動作を制御する。第１制御を選択することにより、偽券を貨幣処理装置１０から払い出すことができる。なお、貨幣処理装置１０から払い出された偽券は、別途保管される。これにより、偽券が市場に流通することを防止することができる。
【００８０】
第２制御では、制御部４０は、入金受付処理（または直接入金処理）において投入部２２から識別部２９に搬送されてきた紙幣が偽券に該当する場合に、その紙幣が補助収納部２５に搬送されるように貨幣処理装置１０の動作を制御する。第２制御を選択することにより、貨幣処理装置１０において紙幣の搬送を継続させた状態で偽券を貨幣処理装置１０内（補助収納部２５）に保管することができる。これにより、偽券が市場に流通することを防止することができる。
【００８１】
第３制御では、制御部４０は、入金受付処理（または直接入金処理）において投入部２２から識別部２９に搬送されてきた紙幣が偽券に該当する場合に、貨幣処理装置１０内における紙幣の搬送が停止されるように貨幣処理装置１０の動作を制御する。第３制御を選択することにより、貨幣処理装置１０において紙幣の搬送を停止させた状態で偽券を貨幣処理装置１０内（処理側搬送部２６）に保管することができる。なお、貨幣処理装置１０（処理側搬送部２６）内に保管された偽券は、貨幣処理装置１０から取り出されて別途保管される。これにより、偽券が市場に流通することを防止することができる。
【００８２】
なお、以上の説明では、貨幣処理装置１０が紙幣入金機を構成している場合を例に挙げたが、貨幣処理装置１０は、硬貨（貨幣）が入金される硬貨入金機を構成するものであってもよい。
【００８３】
〔搬送路の構造〕
次に、図８，図９，図１０を参照して、処理側搬送部２６（主搬送部２７）の搬送路の構造について説明する。ここでは、主搬送部２７の搬送路のうち投入部２２と識別部２９との間に位置する部分の構造について説明する。なお、投入部２２には、繰出機構２２ａを構成する繰出ローラ２２ｂが設けられている。
【００８４】
図９に示すように、この例では、投入部２２に３つの繰出ローラ２２ｂが設けられている。この３の繰出ローラ２２ｂは、投入部２２に集積された紙幣を掻き出すためのキッカローラと呼ばれる繰出ローラ２２ｂ（図９において最も左側に図示されている繰出ローラ２２ｂ）と、掻き出された紙幣を搬送路６１へ送るフィードローラと呼ばれる繰出ローラ２２ｂ（図９においてキッカローラの右側に図示されている繰出ローラ２２ｂ）と、フィードローラ上に配置されて紙幣を一枚ずつ送り出すためのゲートローラと呼ばれる繰出ローラ２２ｂとによって構成されている。
【００８５】
搬送路６１は、所定の間隔をおいて互いに対向しながら紙幣の搬送方向に延伸する搬送路下部６５および搬送路上部６６によって構成されている。また、搬送路６１には、複数の搬送ローラ６２が設けられている。複数の搬送ローラ６２は、搬送路下部６５側に設けられた搬送ローラ６２と搬送路上部６６側に設けられた搬送ローラ６２との間に紙幣が挟み込まれて搬送ローラ６２の回転により紙幣が搬送されるように、搬送路下部６５および搬送路上部６６に設けられる。また、この例では、搬送路下部６５および搬送路上部６６は、下方に向けて凸となるように湾曲する湾曲部をそれぞれ有している。
【００８６】
〈下側異物回収部〉
搬送路下部６５の湾曲部の最下部には、下側異物回収部７１が設けられている。下側異物回収部７１は、搬送路６１に搬送されてきた異物（例えばクリップや小径硬貨など）を重力によって回収するように構成されている。具体的には、下側異物回収部７１は、搬送路下部６５を上下方向に貫通して異物を落とし込むことが可能な複数の貫通孔と、複数の貫通孔の下方に設けられて複数の貫通孔を通じて落下した異物を受ける異物回収ボックス（図示を省略）とによって構成されている。このように、下側異物回収部７１を設けることにより、搬送路６１に搬送されてきた異物（例えばクリップや小径硬貨など）を回収することができる。
【００８７】
〈阻止部〉
搬送路下部６５の湾曲部の最下部に隣接する傾斜部（この例では紙幣の搬送方向の下流側）には、阻止部７２が設けられている。阻止部７２は、搬送路において搬送される紙幣とともに搬送路下部６５の傾斜部に沿いながら上昇してくる異物（例えばクリップや小径硬貨）を堰き止めるように構成されている。この例では、阻止部７２は、複数の阻止ローラによって構成されている。阻止ローラは、搬送路下部６５の傾斜部に設けられた搬送ローラ６２の回転軸に対してフリーに回転するように取り付けられ、搬送ローラ６２における紙幣の通過を妨げないようになっている。また、阻止ローラは、搬送路下部６５の傾斜部に沿いながら上昇してくる異物が堰き止められるように搬送ローラ６２よりも小径に形成されている。
【００８８】
このように、阻止部７２を設けることにより、搬送路６１において搬送される紙幣とともに搬送路下部６５の傾斜部に沿いながら上昇してくる異物（例えばクリップや小径硬貨）を堰き止めることができる。なお、搬送路６１において紙幣の搬送が停止されると、阻止部７２において堰き止められた異物は、重力によって搬送路下部６５の傾斜部に沿いながら搬送路下部６５の湾曲部の最下部へ向けて降下していく。そして、下側異物回収部７１によって異物が回収される。
【００８９】
〈上側異物回収部〉
搬送路上部６６（この例では搬送路上部６６の湾曲部の最下部）には、上側異物回収部７５が設けられている。上側異物回収部７５は、搬送路６１に搬送されてきた紙幣に載置された異物（ステープラの針などの軽量の磁性体）を磁力によって回収するように構成されている。具体的には、上側異物回収部７５は、搬送路上部６６の下面（搬送路下部６５との対向面）から上方に凹陥する凹陥部によって構成され、その凹陥部の底部に磁石７６が設けられている。このように、上側異物回収部７５を設けることにより、搬送路６１に搬送されてきた紙幣に載置された異物（ステープラの針などの軽量の磁性体）を回収することができる。
【００９０】
なお、以上の説明では、主搬送部２７の搬送路のうち投入部２２と識別部２９との間に位置する部分の構造を例に挙げたが、搬送路６１の構造は、貨幣処理装置１０の他の部分（例えば主搬送部２７の搬送路の他の部分など）にも適用可能である。
【００９１】
〔リジェクト部の上部構造〕
次に、図１１，図１２，図１３を参照して、紙幣が払い出されるリジェクト部２３の上部構造について説明する。
【００９２】
リジェクト部２３には、上壁部８０が設けられている。上壁部８０は、羽根車２３ａの上方を覆うようにリジェクト部２３と処理側搬送部２６（具体的には主搬送部２７）との接続部から斜め上方へ向けて延出している。
【００９３】
上壁部８０の下面（すなわち羽根車２３ａとの対向面）には、複数のリブ８１が設けられている。この例では、リブ８１は、上壁部８０の延伸方向（すなわち羽根車２３ａの回転方向）に沿うように延伸している。そして、複数のリブ８１の間には、複数の除電部材８２が設けられている。この例では、除電部材８２は、複数のリブ８１の間に対して１つおきに設けられている。除電部材８２は、フェルトによって構成されてシート状に形成されている。そして、除電部材８２は、リブ８１の間に配置されて上壁部８０に貼り付けられている。
【００９４】
なお、上壁部８０の下面を基準とする除電部材８２の高さＨ８２（すなわち除電部材８２の厚み）は、上壁部８０の下面を基準とするリブ８１の高さＨ８１よりも短くなっている。例えば、リブ８１の高さＨ８１は、約２．５ｍｍに設定され、除電部材８２の高さＨ８２は、約０．５ｍｍに設定されている。また、除電部材８２の幅Ｗ８２は、リブ８１の間隔Ｗ８２以下となっている。この例では、除電部材８２の幅Ｗ８２は、リブ８１の間隔Ｗ８１と同等の長さとなっている。例えば、リブ８１の間隔Ｗ８１と除電部材８２の幅Ｗ８２は、約１２ｍｍに設定されている。なお、処理側搬送部２６において紙幣が短手搬送される場合、リブ８１の間隔Ｗ８１は、紙幣の長手方向の長さよりも短くなっていることが好ましい。
【００９５】
次に、リジェクト部２３における紙幣の挙動について説明する。処理側搬送部２６からリジェクト部２３に搬送されてきた紙幣は、搬送に伴う摩擦によって帯電している。そのため、羽根車２３ａにおいて処理側搬送部２６からリジェクト部２３内に繰り出される紙幣が静電気（その紙幣に帯電している静電気）によってリジェクト部２３の上壁部８０に引き寄せられる場合がある。この例では、静電気によって上壁部８０に引き寄せられた紙幣は、上壁部８０の下面に設けられたリブ８１に接触する。なお、除電部材８２の高さＨ８２がリブ８１の高さＨ８１よりも短くなっているので、リブ８１によって紙幣と除電部材８２との接触を阻害することができる。具体的には、静電気によって上壁部８０に引き寄せられた紙幣とリブ８１の間に設けられた除電部材８２とが隙間を隔てて互いに対向するように、リブ８１によって紙幣を支持することができる。そして、リブ８１によって支持されている紙幣（すなわち静電気によって上壁部８０に引き寄せられた紙幣）は、除電部材８２に放電して除電され、上壁部８０から落下してリジェクト部２３に集積される。
【００９６】
以上のように、上壁部８０の下面（すなわちリジェクト部２３の天井面）にリブ８１を設け、リブ８１の高さＨ８１よりも除電部材８２の高さＨ８２が短くなるようにリブ８１の間に除電部材８２を設けることにより、リブ８１によって紙幣（静電気によって上壁部８０に引き寄せられた紙幣）と除電部材８２との接触を阻害することができるので、紙幣と除電部材８２とを接触させずに紙幣を除電することができる。これにより、紙幣との接触による除電部材８２の劣化を低減することができる。
【００９７】
なお、以上の説明では、リジェクト部２３の上部構造を例に挙げて説明したが、上記の構造（リブ８１および除電部材８２）は、貨幣処理装置１０の他の部分（例えば処理側搬送部２６の搬送路上部６６など）にも適用可能である。
【００９８】
（その他の実施形態）
また、以上の説明では、貨幣処理装置１０（処理部２０）が収納ユニット５０を有している場合を例に挙げたが、貨幣処理装置１０は、収納ユニット５０を有していなくてもよい。すなわち、貨幣処理装置１０において、一時保留部２４と補助収納部２５は、収納ユニット５０に内蔵されていなくてもよい。
【００９９】
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【０１００】
以上説明したように、ここに開示する技術は、貨幣処理装置として有用である。
【符号の説明】
【０１０１】
１０          貨幣処理装置
１１          操作表示部
２０          処理部
２１          処理側筐体
２２          投入部
２３          リジェクト部
２４          一時保留部
２５          補助収納部
２６          処理側搬送部
２７          主搬送部
２８          補助搬送部
２９          識別部
３０          金庫部
３１          金庫側筐体
３２          収納部
３３          金庫側搬送部
４０          制御部
４１          通過センサ
５０          収納ユニット
５１          開閉扉
６１          搬送路
６２          搬送ローラ
６５          搬送路下部
６６          搬送路上部
７１          下側異物回収部
７２          阻止部
７５          上側異物回収部
７６          磁石
８０          上壁部
８１          リブ
８２          除電部材
【図１】
2018116618.tif 000003
【図２】
2018116618.tif 000004
【図３】
2018116618.tif 000005
【図４】
2018116618.tif 000006
【図５】
2018116618.tif 000007
【図６】
2018116618.tif 000008
【図７】
2018116618.tif 000009
【図８】
2018116618.tif 000010
【図９】
2018116618.tif 000011
【図１０】
2018116618.tif 000012
【図１１】
2018116618.tif 000013
【図１２】
2018116618.tif 000014
【図１３】
2018116618.tif 000015